(57)【要約】【課題】本考案は、側向発光ダイオードを提供する。【解決手段】主体とステー及び少なくとも二つのチップが含有され、主体の上面に長方形凹槽が形成され、ステーが主体の長方形凹槽内に固設され、また、各チップが長方形凹槽内のステー上に電気的に接続され、ステーに複数の湾曲ピンが延伸し、複数の湾曲ピンが、逆方向に噛み合いながら対称するように主体の側面に設置され、これにより、全体が平衡を保つことができる側向発光ダイオードである。【選択図】図１
0003127730.tif 000002
【実用新案登録請求の範囲】
【請求項１】
上面に長方形凹槽が形成される主体と、
当該主体の長方形凹槽内に固設され、複数の湾曲ピンが、延伸して、逆方向に噛み合いながら対称するように当該主体の側面に設置されるステーと、
長方形凹槽内のステー上に電気的に接続される少なくとも二つのチップと、
が含有される、
ことを特徴とする側向発光ダイオード。
【請求項２】
当該チップは、フリップチップ方式により設置されることを特徴とする請求項１に記載の側向発光ダイオード。
【考案の詳細な説明】
【技術分野】
【０００１】
本考案は、側向発光ダイオードに関し、特に、主体とステー及び少なくとも二つのチップが含有され、主体上にステーとチップが設置され、また、ステーピンが湾曲されて逆方向に対称するように主体に設置されることにより、主体が平衡を保つことができ、側向式発光ダイオードに適用できるものに関する。
【背景技術】
【０００２】
従来の発光ダイオードは、チップをステーの凹み部に入れ込んでから、ダイ接着とワイヤボンディング及びシーリング等の工程を介して、一つの発光ダイオードになり、当該発光ダイオードは、一般として、室外の情報看板や交通信号或いは自動車のブレーキランプに利用される。
【０００３】
近年、発光ダイオードが、バックライトモジュールの発光源として、バックライトモジュールに応用される。図４のように、当該発光ダイオードは、主体Ａがあり、主体Ａの上面に長方形凹槽Ｂが形成され、当該長方形凹槽Ｂに複数のチップＣが埋め込まれ、各チップＣが、ステーＤに電気的に接続され、ステーＤのピンＥが、湾曲されて主体Ａの側面の同じ方向に配列される。このような発光ダイオードは、各チップＣが発光した光線が混合して、コロホームＦにより封止される長方形凹槽Ｂに集束し、また、主体Ａの長方形凹槽Ｂの開口から出射され、照明の効果が得られる。
【０００４】
従来のバックライトモジュールに応用される発光ダイオードの構造は、側向の照明効果が得られるが、半田付け作業を行う時、主体が、湾曲のピンが同一方向に集中するため、容易に傾斜になり、そのため、全体の位置が偏移して、発光ダイオードの照明効果が低下される。
【０００５】
本考案者は、従来のバックライトモジュールに応用される発光ダイオード構造を作製する時の欠点を解消するため、長年の実務経験に基づいて、慎重に研究して、新規の側向発光ダイオードを提案する。
【考案の開示】
【考案が解決しようとする課題】
【０００６】
本考案の主な目的は、主体とステー及び少なくとも二つのチップが含有され、主体上にステーとチップが設置され、また、ステーピンが湾曲されて逆方向に対称するように主体に設置されることにより、主体が平衡を保つことができる側向発光ダイオードを提供する。
【課題を解決するための手段】
【０００７】
本考案は、上記の目的を達成するために、主体とステー及び少なくとも二つのチップが含有され、主体の上面に長方形凹槽が形成され、ステーが主体の長方形凹槽内に固設され、また、各チップが長方形凹槽内のステー上に電気的に接続され、ステーに複数の湾曲ピンが延伸し、複数の湾曲ピンが、逆方向に噛み合いながら対称するように主体の側面に設置され、これにより、全体が平衡を保つことができる側向発光ダイオードである。
【０００８】
すなわち、本考案の第１考案は、上面に長方形凹槽が形成される主体と、当該主体の長方形凹槽内に固設され、複数の湾曲ピンが、延伸して、逆方向に噛み合いながら対称するように当該主体の側面に設置されるステーと、長方形凹槽内のステー上に電気的に接続される少なくとも二つのチップと、が含有される、ことを特徴とする側向発光ダイオードであることを要旨としている。
【０００９】
また、本考案の第２考案は、当該チップは、フリップチップ方式により設置されることを特徴とする本考案の第１考案に記載の側向発光ダイオードあることを要旨としている。
【考案の効果】
【００１０】
上記の説明から、本考案に次の実用利点が得られる。
【００１１】
本考案に係わる主体は、側面に、逆方向に噛み合いながら対称するように、湾曲された複数のピンが設置され、主体が平衡を保ち、半田付け作業の時、主体が一側へ傾斜することないため、半田付け作業がスムーズに行うことができ、また、半田付け作業後、全体の安定性を保持でき、また、確実に正しい方位の照明効果が得られる。
【考案を実施するための最良の形態】
【００１２】
以下、図面を参照しながら、より良い実施例を挙げて、本考案の構造について、詳しく説明する。
【００１３】
本考案は、図１、２を参照しながら、上面に、コロホーム１４によって封止される長方形凹槽１３が形成される主体１０と、当該長方形凹槽１３内に固設されるステー２０と、フリップチップ方式により当該ステー２０上に設置される少なくとも二つのチップ３０とが含有される。また、当該ステー２０の一側に、複数の湾曲ピン２１が延伸していて、当該複数の湾曲ピン２１は、逆方向に噛み合いながら対称するように主体１０の側面に設置される。また、当該主体１０の底面の中央に凹み部１１が設けられ、また、主体１０の底面の一側に、面取り１２が形成される。
【００１４】
上記の構造により、本考案を作製する半田付け作業の時、主体１０の側面において、逆方向に噛み合いながら対称するように、湾曲ピン２１を配列し、これにより、主体１０が平衡を保って、一側へ傾斜することないため、半田付け作業がスムーズに行うことができ、また、半田付け作業後、主体１０のステー２０上に位置するチップ３０からの光源の位置も偏移しなく、全体の安定性を保持でき、また、確実に正しい方位の照明効果が得られる。
【００１５】
以上は、ただ、本考案のより良い実施例であり、本考案は、それによって制限されず、本技術を良く分かる熟練者であれば、簡単に等価の変更や修正ができ、その等価の変更や修正は、全てが、本考案に係わる実用新案登録請求の範囲に含まれる。
【図面の簡単な説明】
【００１６】
【図１】本考案の立体図
【図２】図１のＡ−Ａ線の断面図
【図３】図１の正面図
【図４】従来の立体図
【符号の説明】
【００１７】
１０                  主体
１１                  凹み部
１２                  面取り
１３                  長方形凹槽
１４                  コロホーム
２０                  ステー
２１                  ピン
３０                  チップ
Ａ                    主体
Ｂ                    長方形凹槽
Ｃ                    チップ
Ｄ                    ステー
Ｅ                    ピン
Ｆ                    コロホーム
【図１】
0003127730.tif 000003
【図２】
0003127730.tif 000004
【図３】
0003127730.tif 000005
【図４】
0003127730.tif 000006
【手続補正書】
【提出日】平成18年10月16日(2006.10.16)
【手続補正１】
【補正対象書類名】実用新案登録請求の範囲
【補正対象項目名】全文
【補正方法】変更
【補正の内容】
【実用新案登録請求の範囲】
【請求項１】
上面に長方形凹槽が形成される主体と、
当該主体の長方形凹槽内に固設され、複数の湾曲ピンを有するステーと、
長方形凹槽内の前記ステー上に電気的に接続される少なくとも二つのチップと、
を含み、
前記湾曲ピンは、当該主体の上面方向及び底面方向に交互に延伸するように、当該主体の側面に設置されることを特徴とする、
側向発光ダイオード。
【請求項２】
当該チップは、フリップチップ方式により設置されることを特徴とする請求項１に記載の側向発光ダイオード。
【手続補正２】
【補正対象書類名】明細書
【補正対象項目名】全文
【補正方法】変更
【補正の内容】
【考案の詳細な説明】
【技術分野】
【０００１】
本考案は、側向発光ダイオードに関し、特に、主体とステー及び少なくとも二つのチップが含有され、主体上にステーとチップが設置され、また、ステーピンが湾曲されて当該主体の上面方向及び底面方向に交互に延伸するように、当該主体の側面に設置されることにより、主体が平衡を保つことができ、側向式発光ダイオードに適用できるものに関する。
【背景技術】
【０００２】
従来の発光ダイオードは、チップをステーの凹み部に入れ込んでから、ダイ接着とワイヤボンディング及びシーリング等の工程を介して、一つの発光ダイオードになり、当該発光ダイオードは、一般として、室外の情報看板や交通信号或いは自動車のブレーキランプに利用される。
【０００３】
近年、発光ダイオードが、バックライトモジュールの発光源として、バックライトモジュールに応用される。図４のように、当該発光ダイオードは、主体Ａがあり、主体Ａの上面に長方形凹槽Ｂが形成され、当該長方形凹槽Ｂに複数のチップＣが埋め込まれ、各チップＣが、ステーＤに電気的に接続され、ステーＤのピンＥが、湾曲されて主体Ａの側面の同じ方向に配列される。このような発光ダイオードは、各チップＣが発光した光線が混合して、コロホームＦにより封止される長方形凹槽Ｂに集束し、また、主体Ａの長方形凹槽Ｂの開口から出射され、照明の効果が得られる。
【０００４】
従来のバックライトモジュールに応用される発光ダイオードの構造は、側向の照明効果が得られるが、半田付け作業を行う時、主体が、湾曲のピンが同一方向に集中するため、容易に傾斜になり、そのため、全体の位置が偏移して、発光ダイオードの照明効果が低下される。
【０００５】
本考案者は、従来のバックライトモジュールに応用される発光ダイオード構造を作製する時の欠点を解消するため、長年の実務経験に基づいて、慎重に研究して、新規の側向発光ダイオードを提案する。
【考案の開示】
【考案が解決しようとする課題】
【０００６】
本考案の主な目的は、主体とステー及び少なくとも二つのチップが含有され、主体上にステーとチップが設置され、また、ステーピンが湾曲されて当該主体の上面方向及び底面方向に交互に延伸するように、当該主体の側面に設置されることにより、主体が平衡を保つことができる側向発光ダイオードを提供する。
【課題を解決するための手段】
【０００７】
本考案は、上記の目的を達成するために、主体とステー及び少なくとも二つのチップが含有され、主体の上面に長方形凹槽が形成され、ステーが主体の長方形凹槽内に固設され、また、各チップが長方形凹槽内のステー上に電気的に接続され、ステーに複数の湾曲ピンが延伸し、複数の湾曲ピンが、当該主体の上面方向及び底面方向に交互に延伸するように、当該主体の側面に設置されることにより、全体が平衡を保つことができる側向発光ダイオードである。
【０００８】
すなわち、本考案の第１考案は、上面に長方形凹槽が形成される主体と、当該主体の長方形凹槽内に固設され、複数の湾曲ピンを有するステーと、長方形凹槽内の前記ステー上に電気的に接続される少なくとも二つのチップと、を含み、前記湾曲ピンは、当該主体の上面方向及び底面方向に交互に延伸するように、当該主体の側面に設置されることを特徴とする側向発光ダイオードであることを要旨としている。
【０００９】
また、本考案の第２考案は、当該チップは、フリップチップ方式により設置されることを特徴とする本考案の第１考案に記載の側向発光ダイオードあることを要旨としている。
【考案の効果】
【００１０】
上記の説明から、本考案に次の実用利点が得られる。
【００１１】
本考案に係わる主体は、当該主体の上面方向及び底面方向に交互に延伸するように、当該主体の側面に設置されるため、主体が平衡を保ち、半田付け作業の時、主体が一側へ傾斜することないため、半田付け作業がスムーズに行うことができ、また、半田付け作業後、全体の安定性を保持でき、また、確実に正しい方位の照明効果が得られる。
【考案を実施するための最良の形態】
【００１２】
以下、図面を参照しながら、より良い実施例を挙げて、本考案の構造について、詳しく説明する。
【００１３】
本考案は、図１、２を参照しながら、上面に、コロホーム１４によって封止される長方形凹槽１３が形成される主体１０と、当該長方形凹槽１３内に固設されるステー２０と、フリップチップ方式により当該ステー２０上に設置される少なくとも二つのチップ３０とが含有される。また、当該ステー２０の一側に、複数の湾曲ピン２１が延伸していて、当該複数の湾曲ピン２１は、当該主体の上面方向及び底面方向に交互に延伸するように、主体１０の側面に設置される。また、当該主体１０の底面の中央に凹み部１１が設けられ、また、主体１０の底面の一側に、面取り１２が形成される。
【００１４】
上記の構造により、本考案を作製する半田付け作業の時、主体１０の側面において、当該主体の上面方向及び底面方向に交互に延伸するように湾曲ピン２１を配列し、これにより、主体１０が平衡を保って、一側へ傾斜することないため、半田付け作業がスムーズに行うことができ、また、半田付け作業後、主体１０のステー２０上に位置するチップ３０からの光源の位置も偏移しなく、全体の安定性を保持でき、また、確実に正しい方位の照明効果が得られる。
【００１５】
以上は、ただ、本考案のより良い実施例であり、本考案は、それによって制限されず、本技術を良く分かる熟練者であれば、簡単に等価の変更や修正ができ、その等価の変更や修正は、全てが、本考案に係わる実用新案登録請求の範囲に含まれる。
【図面の簡単な説明】
【００１６】
【図１】本考案の立体図
【図２】図１のＡ−Ａ線の断面図
【図３】図１の正面図
【図４】従来の立体図
【符号の説明】
【００１７】
１０                  主体
１１                  凹み部
１２                  面取り
１３                  長方形凹槽
１４                  コロホーム
２０                  ステー
２１                  ピン
３０                  チップ
Ａ                    主体
Ｂ                    長方形凹槽
Ｃ                    チップ
Ｄ                    ステー
Ｅ                    ピン
Ｆ                    コロホーム